(57)【要約】【課題】修理が簡単で、防水及び放熱機能を具えるＬＥＤ照明灯を提供する。【解決手段】ＬＥＤ照明灯は、一柱体、一第一導電片、一ＬＥＤ、一第二導電片、一蓋カバー、一第一リングパッド、一第二リングパッドを含む。一柱体は複数の放熱フィン、一積載端子及び一接合端子を具える。一第一導電片は積載端子に設置する。一ＬＥＤは一第一電極を第一導電片に接触する。一第二導電片はＬＥＤの一第二電極に接触する。一蓋カバーは一接合口及び一貫通孔を具え、接合口は積載端子に設置し、ＬＥＤの一発光部は貫通孔に設置する。一第一リングパッドは積載端子と接合口の間に設置する。一第二リングパッドは発光部と貫通孔の間に設置する。【選択図】図１
0003142664.tif 000002
【実用新案登録請求の範囲】
【請求項１】
主に一柱体、一第一導電片、一ＬＥＤ、一第二導電片、一蓋カバー、一第一リングパッド、一第二リングパッドから構成されたＬＥＤ照明灯において、
複数の放熱フィン、一第一通孔、一第二通孔、一積載端子及び一接合端子を具え、これらの放熱フィンは積載端子及び接合端子の間に設置し、第一通孔及び第二通孔は積載端子及び接合端子を連通する一柱体と、
一第一導電端子を具え、積載端子に設置し、第一導電端子は第一通孔に設置する一第一導電片と、
一第一電極が第一導電片に接触する一ＬＥＤと、
一第二導電端子を具え、ＬＥＤの一第二電極に接触し、第二導電端子は第二通孔に設置する一第二導電片と、
一接合口及び一貫通孔を具え、接合口は積載端子に設置し、第一導電片、第二導電片及びＬＥＤを被せ、ＬＥＤの一発光部は貫通孔に設置する一蓋カバーと、
積載端子と接合口の間に設置する一第一リングパッドと、
発光部と貫通孔の間に設置する一第二リングパッド
を含むことを特徴とするＬＥＤ照明灯。
【請求項２】
前記柱体は、円柱とすることを特徴とする請求項１に記載のＬＥＤ照明灯。
【請求項３】
前記些放熱フィンは、それぞれが円弧形であることを特徴とする請求項１に記載のＬＥＤ照明灯。
【請求項４】
前記些放熱フィンは、それぞれが円弧形であることを特徴とする請求項２に記載のＬＥＤ照明灯。
【請求項５】
前記接合端子にはオスネジ紋を成形することを特徴とする請求項１に記載のＬＥＤ照明灯。
【請求項６】
前記接合端子にはオスネジ紋を成形することを特徴とする請求項４に記載のＬＥＤ照明灯。
【考案の詳細な説明】
【技術分野】
【０００１】
本考案は、ＬＥＤ照明灯に関するもので、特にＬＥＤ照明灯に防水及び放熱構造を具えるものである。
【背景技術】
【０００２】
日常生活に於いて、常に照明灯を使用して視覚を助けている。公知の照明灯は、通常電球をライト台に設置し、そのライト台から電源が供給されて電球が発光する。
【考案の開示】
【考案が解決しようとする課題】
【０００３】
解決しようとする問題点は、公知の照明灯は放熱構造の設計がないため、長時間灯りをつけていると、大量の熱が発生し、照明灯の使用寿命を縮める。他に公知の照明灯には防水構造設計もないため、液体がかかるとショートしやすい点である。
【０００４】
そのため、防水、放熱効果を具えた照明灯を考案することを本考案の課題とする。
【課題を解決するための手段】
【０００５】
本考案は、一柱体、一第一導電片、一ＬＥＤ、一第二導電片、一蓋カバー、一第一リングパッド、一第二リングパッドを含む。一柱体は複数の放熱フィン、一積載端子及び一接合端子を具える。一第一導電片は積載端子に設置する。一ＬＥＤは一第一電極を第一導電片に接触する。一第二導電片はＬＥＤの一第二電極に接触する。一蓋カバーは一接合口及び一貫通孔を具え、接合口は積載端子に設置し、ＬＥＤの一発光部は貫通孔に設置する。一第一リングパッドは積載端子と接合口の間に設置する。一第二リングパッドは発光部と貫通孔の間に設置することを最も主要な特徴とする。
【考案の効果】
【０００６】
本考案のＬＥＤ照明灯は、修理が簡単で、防水及び放熱機能を具えるという利点がある。
【考案を実施するための最良の形態】
【０００７】
上述公知の照明灯の欠点を改善するため、研究を重ね、長年の業界に於ける経験を元に、本考案では一種のＬＥＤ照明灯を提供し、修理がしやすく、且つ防水及び放熱の目的を達成した。
【０００８】
一種のＬＥＤ照明灯を提供し、それはＬＥＤ、リングパッド及び放熱フィンを設置することにより、ＬＥＤ照明灯に防水及び放熱構造を形成し、更に修理がしやすく、防水及び放熱機能を具えることを本考案の主な目的とする。
【０００９】
上述の目的のため、本考案のＬＥＤ照明灯は、一柱体、一第一導電片、一ＬＥＤ、一第二導電片、一蓋カバー、一第一リングパッド、一第二リングパッドを含む。一柱体は複数の放熱フィン、一第一通孔、一第二通孔、一積載端子及び一接合端子を具え、これらの放熱フィンは積載端子及び接合端子の間に設置し、第一通孔及び第二通孔は積載端子及び接合端子を連通する。一第一導電片は一第一導電端子を具え、第一導電片は積載端子に設置し、第一導電端子は第一通孔に設置する。一ＬＥＤは一第一電極が第一導電片に接触する。一第二導電片は一第二導電端子を具え、第二導電片はＬＥＤの一第二電極に接触し、第二導電端子は第二通孔に設置する。一蓋カバーは一接合口及び一貫通孔を具え、接合口は積載端子に設置し、蓋カバーは第一導電片、第二導電片及びＬＥＤを被せ、ＬＥＤの一発光部は貫通孔に設置する。一第一リングパッドは積載端子と接合口の間に設置し、一第二リングパッドは発光部と貫通孔の間に設置する。
【００１０】
そのうち、柱体は円柱で、これらの放熱フィンはそれぞれ円弧形で、接合端子にはオスネジ紋を成形する。これらによって本考案のＬＥＤ照明灯は修理が簡単で防水及び放熱機能を具える。
【００１１】
〔実施方式〕
本考案の目的、特徴及び効果を十分に理解するため、下述の具体的な実施例を挙げ、図式と共に本考案の詳細な説明を行う。
【００１２】
図１及び図２は、それぞれ本考案の具体的実施例の分解図及び組立図である。図に示すとおり、本考案のＬＥＤ照明灯１は、少なくとも一柱体１１、一第一導電片１２、一ＬＥＤ１３、一第二導電片１４、一蓋カバー１５、一第一リングパッド１６及び一第二リングパッド１７を含む。そのうち、柱体１１は円柱で、複数の放熱フィン１１１、一第一通孔１１２、一第二通孔１１３、一積載端子１１４及び一接合端子１１５を具える。これら放熱フィン１１１は、それぞれが円弧形で放熱面積を増やし、且つ積載端子１１４及び接合端子１１５の間に設置する。第一通孔１１２及び第二通孔１１３は、積載端子１１４及び接合端子１１５を連通し、接合端子１１５にはオスネジ紋１１５１を設置して本考案のＬＥＤ照明灯１の取り付け、もしくは取り外しを楽にする。第一導電片１２は、一第一導電端子１２１を具え、その第一導電片１２は積載端子１１４に設置し、第一導電端子１２１は、第一通孔１１２に設置する。ＬＥＤ１３の一第一電極１３１第一導電片１２に接触する。第二導電片１４は一第二導電端子１４１を具え、第二導電片１４はＬＥＤ１３の一第二電極１３２に接触し、第二導電端子１４１第二通孔１１３に設置する。蓋カバー１５は一接合口１５１及び一貫通孔１５２を具え、接合口１５１は積載端子１１４に設置し、蓋カバー１５は第一導電片１２、第二導電片１４及びＬＥＤ１３に被せ、ＬＥＤ１３の一発光部１３３は貫通孔１５２に設置する。第一リングパッド１６は積載端子１１４と接合口１５１の間に設置し、第二リングパッド１７は発光部１３３と貫通孔１５２の間に設置する。
【００１３】
図３は本考案の具体的実施例の仰視図で、図１を参考図とする。図に示すとおり、本考案のＬＥＤ照明灯１は設置する時、二導線（図未提示）を使用し、それぞれ第一通孔１１２及び第二通孔１１３を経て、第一導電端子１２１及び第二導電端子１４１に連接する。このようにして電源供給部（図未提示）は二導線を経て電気が供給されＬＥＤ１３が発光する。
【００１４】
図４は、本考案の具体的実施例の断面図である。図に示すとおり、ＬＥＤ１３は、発光部１３３、第一電極１３１、第二電極１３２及び一絶縁層１３４を具える。第一電極１３１及び第二電極１３２の間には絶縁層１３４を設置し、電源供給部（図未提示）が第一電極１３１及び第二電極１３２に電源を供給すると、発光部１３３が発光して熱を発する。一部の熱は第一電極１３１、第一導電片１２及び柱体１１の積載端子１１４を経て柱体１１の放熱フィン１１１へ伝わり放熱する。別の一部の熱は第二電極１３２、第二導電片１４及び柱体１１の積載端子１１４を経て柱体１１の放熱フィン１１１へ伝わり放熱する。その伝導過程は、多くのルートを具え、且つすべて直接接触して伝導するため、大幅に放熱效率が向上する。この他、ＬＥＤ１３が壊れた時、使用者は蓋カバー１５を外し、新しいＬＥＤ１３に交換し、再度蓋カバー１５を取り付けるだけでよい。そのため、本考案のＬＥＤ照明灯１は修理が容易である。更に液体がかかった場合、第一リングパッド１６及び第二リングパッド１７がそれぞれ積載端子１１４と接合口１５１の間、及び発光部１３３と貫通孔１５２の間を封鎖するため、ＬＥＤ１３の設置箇所に液体が浸入してＬＥＤ１３ショートするのを防止する。
【００１５】
図５は、本考案の具体的実施例の指示図である。図に示すとおり、本考案のＬＥＤ照明灯１は使用時、一パネル２上に大量設置することができる。そのため輝度を向上させたり、外形を変更したりする他に、パネル２もまたそれ以外の放熱面積としてＬＥＤ照明灯１の放熱を提供する。
【産業上の利用可能性】
【００１６】
上述に示すように、本考案は新規性、進歩性及び産業上の利用性という特許三要件に完全に符合する。新規性と進歩性を見ると、本考案はＬＥＤ、リングパッド及び放熱フィンを設置することにより、ＬＥＤ照明灯は防水及び放熱構造を形成し、更にＬＥＤ照明灯は修理が簡単で防水及び放熱の効果を具える。産業上の利用性から見ると、本考案に沿った製品を利用することにより、現在の市場の要求に対応することができる。
【図面の簡単な説明】
【００１７】
【図１】本考案の具体的実施例の分解図である。
【図２】本考案の具体的実施例の組立図である。
【図３】本考案の具体的実施例の仰視図である。
【図４】本考案の具体的実施例の断面図である。
【図５】本考案の具体的実施例の指示図である。
【符号の説明】
【００１８】
１        ＬＥＤ照明灯
１１        柱体
１１１        放熱フィン
１１２        第一通孔
１１３        第二通孔
１１４        積載端子
１１５        接合端子
１１５１        オスネジ紋
１２        第一導電片
１２１        第一導電端子
１３        ＬＥＤ
１３１        第一電極
１３２        第二電極
１３３        発光部
１３４        絶縁層
１４        第二導電片
１４１        第二導電端子
１５        蓋カバー
１５１        接合口
１５２        貫通孔
１６        第一リングパッド
１７        第二リングパッド
２        パネル
【図１】
0003142664.tif 000003
【図２】
0003142664.tif 000004
【図３】
0003142664.tif 000005
【図４】
0003142664.tif 000006
【図５】
0003142664.tif 000007